(57)【要約】      （修正有）【課題】押圧手段を繰り返し使うことができるとともに、取り扱いも容易なステープルシート用カートリッジを提供する。【解決手段】複数のステープルシート３０を積層収納したリフィルケースＢを着脱自在に収納する収納部７を設けたカートリッジ本体１と、カートリッジ本体１に回動自在に設けられたリフィル押え２とを備え、上記収納部７に収納されたリフィルケースＢを回動させたリフィル押え２で押えて固定するとともに、上記リフィル押え２には押圧手段１７を取りつけ、リフィル押え２を回動させたときに上記押圧手段１７でステープルシート３０を下方に押圧するようにした。【選択図】図２
2005022075.tif 000002
【特許請求の範囲】
【請求項１】
複数のステープルシートを積層収納したリフィルケースを着脱自在に収納する収納部を設けたカートリッジ本体と、カートリッジ本体に回動自在に設けられたリフィル押えとを備え、上記収納部に収納されたリフィルケースを回動させたリフィル押えで押えて固定するとともに、上記リフィル押えには押圧手段を設け、リフィル押えを回動させたときに、上記押圧手段がステープルシートを、その面に対して直交する方向に押圧するようにしたことを特徴とするステープルシート用カートリッジ。
【発明の詳細な説明】
【技術分野】
【０００１】
本発明は、複数のステープルシートを積層収納したリフィルケースを着脱自在に収納するステープルシート用カートリッジに関する。
【背景技術】
【０００２】
一般に、電動ホッチキスはモータを駆動源として多数のステープルを打ち出すことができるようにしたものであるが、その中で、カートリッジに複数のステープルシートを積層収納してホッチキス本体内に装填し、打ち込み作業時にカートリッジからステープルシートを順次に打ち込み部に送り出し、送り出されたステープルシートを、その先端のステープルから順にコ字形に折り曲げて打ち出すタイプのものが知られている。
【０００３】
このタイプの電動ホッチキスでは、カートリッジ内の最下層又は最上層のステープルシートから順にカートリッジ外に排出するための送り装置としては、送り爪、送りローラなどの送り手段を上記ステープルシートの上面または下面に係合させた状態で移動させることによりカートリッジの排出口から排出させるようになっている。
【０００４】
ところで、カートリッジ内のステープルシートを確実に排出させるためには、ステープルシートの上面又は下面と送り手段との係合時の摩擦力を強くしなければならない。したがって、通常のステープルシート用カートリッジにおいては、カートリッジに設けたバネにより送り手段の反対側から送り手段側にステープルシート全体を押圧し、送り手段がステープルシートの面に強く係合させることができるように構成されている（例えば、特許文献１参照）。
【０００５】
また、最近のカートリッジは、ステープルシートをリフィルケース内に積層収納しておき、リフィルケースをカートリッジに対して着脱できる構成とし、リフィルケース内部のステープルシートが全てなくなったときはリフィルケース毎交換するようになっている。
【０００６】
上述のリフィルケース内のステープルシートについても、バネ等の押圧手段が必要となるが、この押圧手段をリフィルケースに設けられていた。
【０００７】
【特許文献１】特開平８−１２７４６１号公報
【発明の開示】
【発明が解決しようとする課題】
【０００８】
しかしながら、使用済みのカートリッジやリフィルケースは廃棄処分される。このため、バネ等の押圧手段が無駄になるほか、環境保護上もリサイクル上も好ましくなかった。
【０００９】
本発明は上記問題点を解消し、押圧手段を繰り返し使うことができるとともに、取り扱いも容易なステープルシート用カートリッジを提供することをその課題とする。
【課題を解決するための手段】
【００１０】
前記課題を解決するため、本発明に係るステープルシート用カートリッジは、複数のステープルシートを積層収納したリフィルケースを着脱自在に収納する収納部を設けたカートリッジ本体と、カートリッジ本体に回動自在に設けられたリフィル押えとを備え、上記収納部に収納されたリフィルケースを回動させたリフィル押えで押えて固定するとともに、上記リフィル押えには押圧手段を設け、リフィル押えを回動させたときに、上記押圧手段がステープルシートを、その面に対して直交する方向に押圧するようにしたことを特徴
とする。
【発明の効果】
【００１１】
ステープルシート用カートリッジは、押圧手段をカートリッジ側に設ける構成であり、リフィルケース自体に内部のステープルシートの押圧手段を設ける必要がないので、押圧手段を繰り返し使うことができる。
【００１２】
リフィルケース自体に内部のステープルシートの押圧手段を設ける必要がないので、材料を無駄にすることなく、有効に利用することができる。
【００１３】
押圧手段をカートリッジ側に設ける構成であるが、カートリッジ本体に対して回動するリフィル押えに設けたので、リフィルケースの着脱操作に支障がない。
【００１４】
リフィルケースを押えるためのリフィル押えの操作の終了と同時に、押圧手段がステープルシートを押圧する構造であるから、ワンタッチで行なうことができ、取り扱いが非常に楽である。
【００１５】
また、ホッチキスに押圧手段を設ける構成のときは、押圧手段の押圧機能が劣化して押圧手段を取り外さなければならない場合、部品の取り外しなどの面倒な作業が必要となるが、ホッチキス本体に対して着脱可能なカートリッジに押圧手段を設ける構成であるから、カートリッジの交換により押圧手段も交換されるので、特別に押圧手段の交換作業をする必要がない。
【発明を実施するための最良の形態】
【００１６】
図１は本発明に係るステープルシート用カートリッジの斜視図で、同図において符号Ａはカートリッジ、Ｂはリフィルケースを示す。カートリッジＡは、カートリッジ本体１とリフィル押え２とから構成されている。
【００１７】
カートリッジ本体１は、図２および図３に示されるように、前部に成形・打出し部３を備えているとともに、左右両側板４と枠板５と底部６との間にリフィルケースＢを着脱自在に収納する収納部７を備えたもので、底部にはステープルシートの送り手段（図示せず）を受け容れる開口部８が形成され、さらに側板４の上部には係止孔９が形成されている。また、枠板５の後部両外側には突軸１０が形成されている。
【００１８】
リフィル押え２は、左右の三角形状側片部１１の上辺部を蓋部材１２で連結し、上辺部に対向する頂角部に軸受孔１３を形成し、上辺部の近傍の中央に突軸１４を形成したものである。蓋部材１２の両外側にはアーム片１５が形成され、アーム片１５の先端下方には係止フック１６が外向きに突出形成されている。なお、上面部の後部には、図示しないが、上記収納部７にセットされたリフィルケースＢの後面に係合する係合部が形成されている。
【００１９】
また、リフィル押え２の内側には、押圧手段として、全体が舌状に形成されたステープルプッシュレバー１７が配置されている。このステープルプッシュレバー１７はやや幅広に形成され、その基部には軸孔１８を有する２個の突片１９が形成されている。
【００２０】
リフィル押え２の両側の側片部１１には、上記突軸１４の近傍に設けられた軸穴２０にピ２１ンが支持固定され、ピン２１は捩りバネ２２とともにステープルプッシュレバー１７の軸孔１８に回動自在に嵌合している。捩りバネ２２の一端はリフィル押え２の後壁に係合し、他端はステープルプッシュレバー１７の内面に係合している。これにより、ステープルプッシュレバー１７は、上記捩りバネ２２により、常時上記蓋部材１２とは反対側
（下方）に回動するように付勢されている。
【００２１】
リフィル押え２には操作レバー２３が揺動自在に取り付けられている。操作レバー２３は天板２４の両端から平行な脚片２５を突出形成したもので、脚片２５の中間部には軸受孔２６が形成されている。操作レバー２３の脚片２５の軸受孔２６には、リフィル押え２の側片部１１の突軸１４が軸受けされている。これによって、操作レバー２３は上記突軸１４を中心に揺動することができるように構成されている。
【００２２】
また、カートリッジ本体１の枠板５の後部両外側に形成された突軸１０は、リフィル押え２の頂角部の軸受孔１３に回動自在に軸受けされている。これによって、リフィル押え２はカートリッジ本体１に対して回動することができる。
【００２３】
次に、リフィルケースＢは、上部が開放された箱形の本体２７とその上部に配置される蓋板２８とから構成されている。なお、本体２７の底部の一部には開口部２９（図５参照）が形成されている。リフィルケースＢ内にはステープルシート３０（図６参照）が積層収納されている。ステープルシート３０は、真直状のステープル針をシート状に連結したものである。また、リフィルケースＢの本体２７の前壁の下端には最下層のステープルシート３０を排出するための排出口３１が形成され、該排出口３１からは図２に示されるように、ステープルシート３０が１枚ずつ排出されるように形成されている。なお、内部のステープルシート３０が順次排出され、消費されるにつれて蓋板２８も底部に近づくように配置されている。
【００２４】
次に、上記構成のステープルシート用カートリッジＡの使用態様について説明する。まず、図２のように操作レバー２３を回動させて、カートリッジ本体１の収納部７を大きく開く。そして、内部にステープルシート３０を装填したリフィルケースＢを収納部７の上から斜めに入れこんで図３のようにセットする。そして、操作レバー２３をリフィル押え２とともに、リフィル押え２の蓋部材１２がリフィルケースＢの上を覆うように回動する。そして、図４（ａ）（ｂ）に示されるように、回動端までリフィル押え２を回動させると、アーム片１５の下面はカートリッジ本体１の両側板４の上面に係合するとともに、係止フック１６が側板４の係止孔９に係止する（図７参照）。同時に、図５のようにリフィル押え２の後部の係合部がリフィルケースＢの後面を前方に押し、上面の蓋板２８をプッシュレバー１７で押圧する。これによって、リフィルケースＢはカートリッジ本体１に固定される。
【００２５】
なお、カートリッジ本体１の底部には開口部８が形成され、該開口部８はリフィルケースＢをカートリッジ本体１に適正にセットしたときに、カートリッジ本体１の底部の開口部２９とともに１つの開口部をなすように構成されており、２つの開口部からホッチキス本体２７に設けられた送り手段が入り込んで最下層のステープルシート３０の下面に係合するようになっている。
【００２６】
ところで、カートリッジ本体１の収納部７を開放したとき、リフィル押え２に設けられたステープルプッシュレバー１７は図２のようにリフィル押え２の内側にはみ出しているが、リフィル押え２を大きく回動させることにより、ステープルプッシュレバー１７がリフィルケースＢを装着する際の障害になることはない。リフィルケースＢをセットした後に操作レバー２３をリフィル押え２とともに回動すると、ステープルプッシュレバー１７はリフィルケースＢの蓋板２８の上方に延びていく。そして、回動端までリフィル押え２を回動させると、ステープルプッシュレバー１７は捩りバネ２２のバネ力によってリフィルケースＢの蓋板２８を下方に押圧する。
【００２７】
このように、カートリッジ本体１にリフィルケースＢを装着すると、これに連動してス
テープルプッシュレバー１７はリフィルケースＢの蓋板２８の上面の前部に係合し、その面に対して直交する下方向に押圧する。送り手段は、ステープルプッシュレバー１７の係合部の下方に対応配置されている。したがって、ステープルプッシュレバー１７の押圧力によって最下層のステープルシート３０の下面と送り手段との摩擦抵抗は大きい状態に保持されるので、ステープルシート３０の送りを確実に行なうことができる。そして、ステープルシート３０は成形・打出し部３まで送られた後、先頭のステープル針から順にコの字形に成形され、さらに下方に打ち出される。
【００２８】
ステープルの打ち込み作業が繰り返されて内部のステープルシート３０が消費されていくにつれ、最上層のステープルシート３０はだんだんと底部に近づいていくが、その場合でも、ステープルプッシュレバー１７はバネ力によってステープルシート３０を下方に押圧するので、送り手段による送り力は十分に維持される。
【００２９】
また、図６のように、リフィルケースＢ内にステープルシート３０が無くなったときは、空のリフィルケースＢを外して新しいものに交換する必要がある。この場合、手でリフィル押え２の係止フック１６と側板４の係止孔９との係止を外す。操作レバー２３を後方に回動させると、収納部７が大きく開放されるので、空のリフィルケースＢを外し、新しいリフィルケースＢを装着することができる。取り外した空のリフィルケースＢは、廃棄処分するか、リサイクルして再使用すればよい。
【００３０】
上記ステープルシート用カートリッジは、押圧手段７をカートリッジＡ側に設ける構成であり、リフィルケースＢ自体に内部のステープルシート３０の押圧手段を設ける必要がないので、押圧手段１７を繰り返し使うことができる。
【００３１】
リフィルケースＢ自体に内部のステープルシート３０の押圧手段１７を設ける必要がないので、材料を無駄にすることなく、有効に利用することができる。
【００３２】
押圧手段１７をカートリッジＡ側に設ける構成であるが、カートリッジ本体１に対して回動するリフィル押え２に設けたので、リフィルケースＢの着脱操作に支障がない。
【００３３】
リフィルケースＢを押えるためのリフィル押え２の操作の終了と同時に、押圧手段がステープルシート３０を押圧する構造であるから、ワンタッチで行なうことができ、取り扱いが非常に楽である。
【００３４】
また、ホッチキスに押圧手段を設ける構成のときは、押圧手段の押圧機能が劣化して押圧手段を取り外さなければならない場合、部品の取り外しなどの面倒な作業が必要となるが、ホッチキス本体に対して着脱可能なカートリッジに押圧手段を設ける構成であるから、カートリッジの交換により押圧手段も交換されるので、特別に押圧手段の交換作業をする必要がない。
【００３５】
なお、押圧手段はリフィル押えに設ける構成であればよく、図示した構成に限定されない。
【図面の簡単な説明】
【００３６】
【図１】本発明に係るカートリッジの斜視図
【図２】上記カートリッジを開いた状態をリフィルケースとともに示す斜視図
【図３】上記カートリッジの分解斜視図
【図４】（ａ）（ｂ）はそれぞれリフィルケースを装着する途中の状態とリフィルケースを装着した状態の側面図
【図５】一部を断面で示すカートリッジの側面図
【図６】内部にステープルシートが無くなったときの状態を示すカートリッジの側面図
【図７】係止フックが係止孔に係止した状態の断面図
【符号の説明】
【００３７】
Ａ  カートリッジ
Ｂ  リフィルケース
１  カートリッジ本体
２  リフィル押え
１７  ステープルプッシュレバー
【図１】
2005022075.tif 000003
【図２】
2005022075.tif 000004
【図３】
2005022075.tif 000005
【図４】
2005022075.tif 000006
【図５】
2005022075.tif 000007
【図６】
2005022075.tif 000008
【図７】
2005022075.tif 000009